(57)【要約】  デバイスと、複数の外部デバイスとの、視覚的記号を介した対話を提供する対話サービス提供方法において、該デバイスと、該複数の外部デバイスとの間で送受信される視覚的記号がディスプレイされる第１チャットルームを生成する段階、第１チャットルームが、デバイス上にディスプレイされている状態で、複数の外部デバイスのうち１以上の外部デバイスを選択する命令を入力され、１以上の外部デバイスを選択する段階、及び該デバイスと、該選択された外部デバイスとの間で送受信される視覚的記号がディスプレイされる第２チャットルームを生成する段階を含む対話サービス提供方法が開示される。
2018508066.tif 000002
【特許請求の範囲】
【請求項１】
デバイスと、複数の外部デバイスとの、視覚的記号を介した対話を提供する対話サービス提供方法において、
前記デバイスと、前記複数の外部デバイスとの間で送受信される視覚的記号がディスプレイされる第１チャットルームを生成する段階と、
前記第１チャットルームが、前記デバイス上にディスプレイされている状態で、前記複数の外部デバイスのうち１以上の外部デバイスを選択する命令を入力され、前記１以上の外部デバイスを選択する段階と、
前記デバイスと、前記選択された外部デバイスとの間で送受信される視覚的記号がディスプレイされる第２チャットルームを生成する段階と、を含む対話サービス提供方法。
【請求項２】
前記選択する段階は、前記第１チャットルームにディスプレイされた前記視覚的記号のうち１以上の視覚的記号を選択する命令を入力され、前記選択された視覚的記号のうち１以上を送信した、前記１以上の外部デバイスを選択することを特徴とする請求項１に記載の対話サービス提供方法。
【請求項３】
前記第２チャットルームを生成する段階は、前記第１チャットルームの視覚的記号のうち、前記選択された視覚的記号を、前記第２チャットルームにディスプレイし、前記第２チャットルームを生成することを特徴とする請求項２に記載の対話サービス提供方法。
【請求項４】
前記第２チャットルームを生成する段階は、前記選択された外部デバイスが送信した視覚的記号を、前記第２チャットルームにディスプレイし、前記第２チャットルームを生成することを特徴とする請求項１に記載の対話サービス提供方法。
【請求項５】
前記第２チャットルームを生成する段階後、
前記第１チャットルームで作成された視覚的記号と、前記第２チャットルームで作成された視覚的記号とを１画面にディスプレイする段階をさらに含むことを特徴とする請求項１に記載の対話サービス提供方法。
【請求項６】
前記ディスプレイする段階は、前記第１チャットルームで作成された視覚的記号と、前記第２チャットルームで作成された視覚的記号とを区別してディスプレイすることを特徴とする請求項５に記載の対話サービス提供方法。
【請求項７】
前記第２チャットルームを生成する段階後、
前記第１チャットルームの視覚的記号と、前記第２チャットルームの視覚的記号とを併合し、前記併合した視覚的記号を、前記第１チャットルームにディスプレイする段階をさらに含むことを特徴とする請求項１に記載の対話サービス提供方法。
【請求項８】
前記ディスプレイする段階は、前記第１チャットルームに直接作成された視覚的記号と、前記第２チャットルームから併合された視覚的記号とを区別し、前記第１チャットルームにディスプレイすることを特徴とする請求項７に記載の対話サービス提供方法。
【請求項９】
前記ディスプレイする段階は、前記デバイス、または前記選択された外部デバイスの許可を受けた場合、前記第２チャットルームの視覚的記号を、前記第１チャットルームの視覚的記号と併合し、前記第１チャットルームにディスプレイすることを特徴とする請求項７に記載の対話サービス提供方法。
【請求項１０】
前記ディスプレイする段階は、前記デバイス、または前記選択された外部デバイスの許可を受けた一部の視覚的記号を、前記第１チャットルームの視覚的記号と併合し、前記第１チャットルームにディスプレイすることを特徴とする請求項７に記載の対話サービス提供方法。
【請求項１１】
前記ディスプレイする段階は、前記デバイス、または前記選択された外部デバイスの許可を受けた場合、前記複数の外部デバイスのうち、前記第２チャットルームに参加していない外部デバイスに、前記第２チャットルームの視覚的記号を伝送することを特徴とする請求項７に記載の対話サービス提供方法。
【請求項１２】
前記第１チャットルームまたは前記第２チャットルームの視覚的記号を、電子ファイルに保存する段階をさらに含むことを特徴とする請求項１に記載の対話サービス提供方法。
【請求項１３】
前記第１チャットルームが終了すれば、前記第２チャットルームも終了することを特徴とする請求項１に記載の対話サービス提供方法。
【請求項１４】
デバイスと、複数の外部デバイスとの、視覚的記号を介した対話を提供する対話サービス提供方法において、
前記デバイスと第１外部デバイスとの間で送受信される視覚的記号がディスプレイされる第１チャットルームを生成する段階と、
前記デバイスと第２外部デバイスとの間で送受信される視覚的記号がディスプレイされる第２チャットルームを生成する段階と、
第３チャットルームを生成し、前記第１チャットルームの視覚的記号、及び前記第２チャットルームの視覚的記号を併合し、前記第３チャットルームにディスプレイする段階と、を含み、
前記第３チャットルームには、前記デバイス、前記第１外部デバイス及び前記第２外部デバイスの間で送受信される視覚的記号がディスプレイされる対話サービス提供方法。
【請求項１５】
前記ディスプレイする段階は、前記第１チャットルームで作成された視覚的記号、及び前記第２チャットルームで作成された視覚的記号が互いに区別されるように、前記第３チャットルームにディスプレイすることを特徴とする請求項１４に記載の対話サービス提供方法。
【請求項１６】
前記ディスプレイする段階は、前記デバイス、前記第１外部デバイスまたは前記第２外部デバイスの許可を受けた場合、前記第１チャットルームの視覚的記号、及び前記第２チャットルームの視覚的記号を併合し、前記第３チャットルームにディスプレイすることを特徴とする請求項１４に記載の対話サービス提供方法。
【請求項１７】
前記ディスプレイする段階は、前記デバイス、前記第１外部デバイスまたは前記第２外部デバイスの許可を受けた一部の視覚的記号のみを併合し、前記第３チャットルームにディスプレイすることを特徴とする請求項１４に記載の対話サービス提供方法。
【請求項１８】
コンピュータを利用して、請求項１ないし１７のうちいずれか１項に記載の方法を実行させるためのコンピュータプログラム。
【請求項１９】
複数の外部デバイスと視覚的記号を送受信する通信部と、
前記視覚的記号をディスプレイするディスプレイ部と、
前記複数の外部デバイスと送受信した視覚的記号がディスプレイされる第１チャットルームを生成し、前記第１チャットルームが、前記デバイス上にディスプレイされている状態で、前記複数の外部デバイスのうち１以上の外部デバイスを選択する命令を入力され、前記１以上の外部デバイスを選択し、前記デバイスと、前記選択された外部デバイスとの間で送受信される視覚的記号がディスプレイされる第２チャットルームを生成する制御部と、を含む対話サービス提供デバイス。
【請求項２０】
前記制御部は、前記第１チャットルームにディスプレイされた前記視覚的記号のうち１以上の視覚的記号を選択する命令を入力され、前記選択された視覚的記号のうち１以上を送信した、前記１以上の外部デバイスを選択することを特徴とする請求項１９に記載の対話サービス提供デバイス。
【請求項２１】
前記制御部は、前記第１チャットルームの視覚的記号のうち、前記選択された視覚的記号を、前記第２チャットルームにディスプレイし、前記第２チャットルームを生成することを特徴とする請求項２０に記載の対話サービス提供デバイス。
【請求項２２】
前記制御部は、前記選択された外部デバイスが送信した視覚的記号を、前記第２チャットルームにディスプレイし、前記第２チャットルームを生成することを特徴とする請求項１９に記載の対話サービス提供デバイス。
【請求項２３】
前記制御部は、前記第１チャットルームで作成された視覚的記号と、前記第２チャットルームで作成された視覚的記号とを１画面にディスプレイすることを特徴とする請求項１９に記載の対話サービス提供デバイス。
【請求項２４】
前記制御部は、前記第１チャットルームで作成された視覚的記号と、前記第２チャットルームで作成された視覚的記号とを区別してディスプレイすることを特徴とする請求項２３に記載の対話サービス提供デバイス。
【請求項２５】
前記制御部は、前記第１チャットルームの視覚的記号と、前記第２チャットルームの視覚的記号とを併合し、前記併合した視覚的記号を、前記第１チャットルームにディスプレイすることを特徴とする請求項１９に記載の対話サービス提供デバイス。
【請求項２６】
前記制御部は、前記第１チャットルームに直接作成された視覚的記号と、前記第２チャットルームから併合された視覚的記号とを区別し、前記第１チャットルームにディスプレイすることを特徴とする請求項２５に記載の対話サービス提供デバイス。
【請求項２７】
前記制御部は、前記デバイス、または前記選択された外部デバイスの許可を受けた場合、前記第２チャットルームの視覚的記号を、前記第１チャットルームの視覚的記号と併合し、前記第１チャットルームにディスプレイすることを特徴とする請求項２５に記載の対話サービス提供デバイス。
【請求項２８】
前記制御部は、前記デバイス、または前記選択された外部デバイスの許可を受けた一部の視覚的記号を、前記第１チャットルームの視覚的記号と併合し、前記第１チャットルームにディスプレイすることを特徴とする請求項２５に記載の対話サービス提供デバイス。
【請求項２９】
前記制御部は、前記デバイス、または前記選択された外部デバイスの許可を受けた場合、前記複数の外部デバイスのうち、前記第２チャットルームに参加していない外部デバイスに、前記第２チャットルームの視覚的記号を伝送することを特徴とする請求項２５に記載の対話サービス提供デバイス。
【請求項３０】
前記制御部は、前記第１チャットルームまたは前記第２チャットルームの視覚的記号を、電子ファイルに保存することを特徴とする請求項１９に記載の対話サービス提供デバイス。
【請求項３１】
前記制御部は、第１チャットルームが終了すれば、前記第２チャットルームも終了することを特徴とする請求項１９に記載の対話サービス提供デバイス。
【請求項３２】
第１外部デバイス及び第２外部デバイスと視覚的記号を送受信する通信部と、
前記視覚的記号をディスプレイするディスプレイ部と、
前記デバイスと第１外部デバイスとの間で送受信される視覚的記号がディスプレイされる第１チャットルームを生成し、前記デバイスと第２外部デバイスとの間で送受信される視覚的記号がディスプレイされる第２チャットルームを生成し、第３チャットルームを生成し、前記第１チャットルームの視覚的記号、及び前記第２チャットルームの視覚的記号を併合し、前記第３チャットルームにディスプレイする制御部と、を含み、
前記第３チャットルームには、前記デバイス、前記第１外部デバイス及び前記第２外部デバイスの間で送受信される視覚的記号がディスプレイされる対話サービス提供デバイス。
【請求項３３】
前記制御部は、前記第１チャットルームで作成された視覚的記号、及び前記第２チャットルームで作成された視覚的記号が互いに区別されるように、前記第３チャットルームにディスプレイすることを特徴とする請求項３２に記載の対話サービス提供デバイス。
【請求項３４】
前記制御部は、前記デバイス、前記第１外部デバイスまたは前記第２外部デバイスの許可を受けた場合、前記第１チャットルームの視覚的記号、及び前記第２チャットルームの視覚的記号を併合し、前記第３チャットルームにディスプレイすることを特徴とする請求項３２に記載の対話サービス提供デバイス。
【請求項３５】
前記制御部は、前記デバイス、前記第１外部デバイスまたは前記第２外部デバイスの許可を受けた一部の視覚的記号のみを併合し、前記第３チャットルームにディスプレイすることを特徴とする請求項３２に記載の対話サービス提供デバイス。
【発明の詳細な説明】
【技術分野】
【０００１】
本発明は、対話サービス提供方法及び対話サービス提供デバイスに関する。
【背景技術】
【０００２】
電子通信技術の発展により、ユーザは、電子通信を行うことができるデバイスでもって、多様な機能を利用することができる。該デバイスは、ＰＣ（personal  computer）または携帯用端末機などを意味する。該デバイスは、多様なプログラムをユーザの所望通りインストール及び削除が可能であり、無線インターネットを利用して、通信網に直接接続することができて活用度が高い。
【０００３】
多数のデバイスが通信網を介して、互いにデータを送受信することができる。それにより、多数のデバイスそれぞれで作成された視覚的記号を、多数のデバイス間で送受信し、当該視覚的記号を当該多数のデバイスにディスプレイする方法を介して、視覚的記号を介した多者間対話サービスが活発に開発されて使用されている。
【０００４】
前述の背景技術は、発明者が本発明の導出のために保有していたり、本発明の導出過程で習得したりした技術情報であり、必ずしも本発明の出願前に一般公衆に公開された公知技術とすることはできない。
【発明の概要】
【発明が解決しようとする課題】
【０００５】
本発明の実施形態は、多者間の第１チャットルームを介した視覚的記号対話の進行最中、全部または一部の構成メンバーが、第２チャットルームを介した視覚的記号対話を進めることができるようにすることにより、別個の主題で対話を進めるか、あるいは一部の構成メンバーにだけ係わる対話を進めることができる、対話サービス提供方法及び対話サービス提供デバイスを提供する。
【０００６】
本発明の実施形態は、第１チャットルーム及び第２チャットルームそれぞれを介した対話内容を併合し、１つのチャットルームに表示することができるようにすることにより、いくつかのルームで進められた対話内容を１回で確認することができる、対話サービス提供方法及び対話サービス提供デバイスを提供する。
【課題を解決するための手段】
【０００７】
本発明の実施形態は、デバイスと、複数の外部デバイスとの、視覚的記号を介した対話を提供する対話サービス提供方法において、前記デバイスと、前記複数の外部デバイスとの間で送受信される視覚的記号がディスプレイされる第１チャットルームを生成する段階、前記第１チャットルームが、前記デバイス上にディスプレイされている状態で、前記複数の外部デバイスのうち１以上の外部デバイスを選択する命令を入力され、前記１以上の外部デバイスを選択する段階、及び前記デバイスと、前記選択された外部デバイスとの間で送受信される視覚的記号がディスプレイされる第２チャットルームを生成する段階を含む対話サービス提供方法を提供する。
【０００８】
本発明の実施形態は、デバイスと、複数の外部デバイスとの、視覚的記号を介した対話を提供する対話サービス提供方法において、前記デバイスと第１外部デバイスとの間で送受信される視覚的記号がディスプレイされる第１チャットルームを生成する段階、前記デバイスと第２外部デバイスとの間で送受信される視覚的記号がディスプレイされる第２チャットルームを生成する段階、及び第３チャットルームを生成し、前記第１チャットルームの視覚的記号、及び前記第２チャットルームの視覚的記号を併合し、前記第３チャットルームにディスプレイする段階を含み、前記第３チャットルームには、前記デバイス、前記第１外部デバイス及び前記第２外部デバイスの間で送受信される視覚的記号がディスプレイされる対話サービス提供方法を提供する。
【０００９】
本発明の実施形態は、複数の外部デバイスと視覚的記号を送受信する通信部、前記視覚的記号をディスプレイするディスプレイ部、及び前記複数の外部デバイスと送受信した視覚的記号がディスプレイされる第１チャットルームを生成し、前記第１チャットルームが、前記デバイス上にディスプレイされている状態で、前記複数の外部デバイスのうち１以上の外部デバイスを選択する命令を入力され、前記１以上の外部デバイスを選択し、前記デバイスと、前記選択された外部デバイスとの間で送受信される視覚的記号がディスプレイされる第２チャットルームを生成する制御部を含む対話サービス提供デバイスを提供する。
【００１０】
本発明の実施形態は、第１外部デバイス及び第２外部デバイスと視覚的記号を送受信する通信部、前記視覚的記号をディスプレイするディスプレイ部、及び前記デバイスと第１外部デバイスとの間で送受信される視覚的記号がディスプレイされる第１チャットルームを生成し、前記デバイスと第２外部デバイスとの間で送受信される視覚的記号がディスプレイされる第２チャットルームを生成し、第３チャットルームを生成し、前記第１チャットルームの視覚的記号、及び前記第２チャットルームの視覚的記号を併合し、前記第３チャットルームにディスプレイする制御部を含み、前記第３チャットルームには、前記デバイス、前記第１外部デバイス及び前記第２外部デバイスの間で送受信される視覚的記号がディスプレイされる対話サービス提供デバイスを提供する。
【００１１】
前述のところ以外の他の側面、特徴、利点が、以下の図面、特許請求の範囲、及び発明の詳細な説明から明確になるであろう。
【００１２】
かような一般的であって具体的な側面が、システム、方法、コンンピュータプログラム、またはあるシステム、ある方法、あるコンピュータプログラムの組み合わせを使用して実施される。
【発明の効果】
【００１３】
かような本発明により、多者間第１チャットルームを介した視覚的記号対話の進行最中、全部または一部の構成メンバーが、第２チャットルームを介した視覚的記号対話を進めることができるようにすることにより、別個の主題で対話を進めるか、あるいは一部の構成メンバーにだけ係わる対話を進めることができる対話サービスを提供することができる。
【００１４】
また、第１チャットルーム及び第２チャットルームそれぞれを介した対話内容を併合し、１つのチャットルームに表示することができるようにすることにより、いくつかのルームで進められた対話内容を１回で確認することができる対話サービスを提供することができる。
【図面の簡単な説明】
【００１５】
【図１】本発明の一実施形態による対話サービス提供システムの構成を示した図面である。
【図２】図１の対話サービス提供システムの対話サービス提供デバイス、及びデバイスの内部構成を示したブロック図である。
【図３】本発明の一実施形態による対話サービス提供方法のフローチャートである。
【図４】第１チャットルームをディスプレイしている最中、第２チャットルームをディスプレイする方法の例示を示した図面である。
【図５Ａ】第２チャットルームを生成する方法の例示を示した図面である。
【図５Ｂ】第２チャットルームを生成する方法の例示を示した図面である。
【図５Ｃ】第２チャットルームを生成する方法の例示を示した図面である。
【図６Ａ】第１チャットルーム及び第２チャットルームを同時にディスプレイする方法の例示を示した図面である。
【図６Ｂ】第１チャットルーム及び第２チャットルームを同時にディスプレイする方法の例示を示した図面である。
【図７】１つの対話内容を、他のチャットルームの対話内容と併合する方法の例示を示した図面である。
【図８】対話サービス最中に発生した情報を、多数のデバイス間で送受信する過程を示した図面である。
【発明を実施するための形態】
【００１６】
本発明は、多様な変換を加えることができ、さまざまな実施形態を有することができるが、特定実施形態を図面に例示し、詳細な説明によって詳細に説明する。本発明の効果、特徴、及びそれらを達成する方法は、図面と共に詳細に説明する実施形態を参照すれば、明確になるであろう。しかし、本発明は、以下で開示される実施形態に限定されるものではなく、多様な形態によって具現されるのである。以下の実施形態において、第１、第２のような用語は、限定的な意味ではなく、１つの構成要素を他の構成要素と区別する目的に使用されている。また、単数の表現は、文脈上明白に異なって意味しない限り、複数の表現を含む。また、「含む」または「有する」というような用語は、明細書上に記載された特徴または構成要素が存在するということを意味するものであり、１以上の他の特徴または構成要素が付加される可能性をあらかじめ排除するものではない。また、図面においては、説明の便宜のために、構成要素の大きさが誇張されていたり縮小されていたりする。例えば、図面に示された各構成の大きさ及び厚みは、説明の便宜のために任意に示されており、本発明は、必ずしも図示されているところに限定されるものではない。
【００１７】
以下、添付された図面を参照し、本発明の実施形態について詳細に説明するが、図面を参照して説明するとき、同一であるか、あるいは対応する構成要素は、同一図面符号を付し、それらに係わる重複説明は省略する。
【００１８】
図１は、本発明の一実施形態による対話サービス提供システムの構成を概略的に図示した図面である。
【００１９】
図１を参照すれば、本発明の一実施形態による対話サービス提供システム１０は、第１デバイス１００及び第２デバイス２００を含む。また、第１デバイス１００と第２デバイス２００とを相互連結する通信網４００を含む。また、通信網４００を介して、第１デバイス１００または第２デバイス２００と連結されるサーバ３００を含んでもよい。
【００２０】
第１デバイス１００は、本発明の一実施形態による対話サービス提供システム１０の対話サービス提供デバイスである。第２デバイス２００も、本発明の一実施形態による対話サービス提供システム１０の対話サービス提供デバイスでもある。第１デバイス１００は、有線及び／又は無線通信環境で、他のデバイスとデータを送受信することができる通信端末機を意味する。第２デバイス２００も、有線及び／又は無線通信環境で他のデバイスとデータを送受信することができる通信端末機でもある。図１では、第１デバイス１００及び第２デバイス２００がスマートフォン（smart  phone）として図示されているが、本発明の思想は、それに制限されるものではなく、前述のように、有線及び／又は無線通信環境で他のデバイスとデータを送受信することができるデバイスであるならば、制限なしに借用される。
【００２１】
それについてさらに詳細に説明すれば、第１デバイス１００及び第２デバイス２００は、例えば、スマートフォン、ＰＣ（personal  computer）、タブレットＰＣ、スマートＴＶ（television）、携帯電話、ＰＤＡ（personal  digital  assistant）、ラップトップ、メディアプレイヤ、マイクロサーバ、ＧＰＳ（global  position  system）装置、電子書籍端末機、デジタル放送用端末機、ナビゲーション、キオスク、ＭＰ３プレイヤ、デジタルカメラ、ウェアラブルデバイス、及びその他のモバイルまたは非モバイルのコンピュータ装置でもあるが、本発明は、それらに限定されるのではない。
【００２２】
また、第１デバイス１００及び第２デバイス２００は、電子黒板、タッチテーブルのように、タッチ入力を受信することができる多様な装置を含んでもよい。また、第１デバイス１００及び第２デバイス２００は、通信機能及びデータプロセッシング機能を具備した時計、めがね、ヘアーバンド及び指輪などのアクセサリでもあるが、本発明は、それらに限定されるものではない。
【００２３】
第１デバイス１００は、第２デバイス２００と、視覚的記号（visual  sign）を介した対話を行うことができる。図１では、１つの第２デバイス２００をディスプレイしているが、複数の第２デバイス２００と、第１デバイス１００とが視覚的記号を介した対話を行うこともできる。すなわち、第１デバイス１００は、第２デバイス２００と互いに視覚的記号をやり取りし、第１デバイス１００は、第１デバイス１００のディスプレイ部上に、ユーザ間の対話を示す視覚的記号をディスプレイすることができる。また、第２デバイス２００それぞれも、それぞれの第２デバイス２００のディスプレイ部上に、ユーザ間の対話を示す視覚的記号をディスプレイすることができる。
【００２４】
本明細書において視覚的記号は、英文字、絵及び写真など、視覚的に認知され、相手に視覚的な形態で情報を伝達することができる客体、または当該客体の集合を意味する。例えば、該視覚的記号は、第１デバイス１００のディスプレイ部にディスプレイされる、視覚的記号メッセージ、絵、写真、またはそれらを組み合わせて生成される文章や絵文字などを含んでもよいが、本発明は、それらに限定されるものではない。
【００２５】
サーバ３００は、対話サービスを提供するサーバでもある。図１には、１つのサーバをディスプレイしているが、接続量あるいはデータ量によって、複数個のサーバが存在することができる。
【００２６】
サーバ３００は、対話サービスを提供する以外にも、一般的な検索サービス、及びその他ユーザの便宜を増進させる多様なサービスを提供することもできる。すなわち、サーバ３００は、対話サービス以外にも、検索、電子メール、ブログ、ソーシャルネットワークサービス、ニュース、ショッピング情報提供のような多様なサービスを提供することができる。
【００２７】
または、サーバ３００は、検索、電子メール、ニュース、ショッピングのようなポータルサービスを提供するサーバに連結され、ポータルサービスに情報提供を要請する第１デバイス１００に、ポータルサービスが提供するウェブページを提供するサーバでもある。ここで、サーバ３００とポータルサービス提供サーバは、物理的に分離された別途のサーバでもあり、概念的にのみ分離された同一サーバでもある。
【００２８】
サーバ３００は、第１デバイス１００と第２デバイス２００との対話内容を保存することができる。図１では、第１デバイス１００が、通信網４００を介して、第２デバイス２００と直接的にデータを送受信することができるように連結されているようにディスプレイされているが、第１デバイス１００と第２デバイス２００とのデータ送受信は、サーバ３００を経ても行われる。すなわち、例えば、第１デバイス１００から電子信号として送信された視覚的記号が、通信網４００を介してサーバ３００に伝達され、その後、サーバ３００から、通信網４００を介して、第２デバイス２００に当該視覚的記号を送信することもできる。
【００２９】
通信網４００は、第１デバイス１００及び第２デバイス２００を連結する役割を行う。また、通信網４００は、第１デバイス１００及び第２デバイス２００を、サーバ３００と連結する役割を行うことができる。すなわち、通信網４００は、第１デバイスと第２デバイス２００との間で、視覚的記号を含むデータを送受信することができるように、接続経路を提供する通信網を意味する。通信網４００は、例えば、ＬＡＮｓ（local  area  networks）、ＷＡＮｓ（wide  area  networks）、ＭＡＮｓ（metropolitan  area  networks）、ＩＳＤＮｓ（integrated  service  digital  networks）などの有線ネットワーク；無線ＬＡＮｓ、ＣＤＭＡ（code  division  multiple  access）、ブルートゥース（登録商標（Bluetooth））、衛星通信などの無線ネットワークを網羅することができるが、本発明の範囲は、それらに限定されるものではない。
【００３０】
図２は、図１の対話サービス提供システムの対話サービス提供デバイス、及びデバイスの内部構成を概略的に図示したブロック図である。
【００３１】
図２を参照すれば、本発明の一実施形態による対話サービス提供システムの対話サービス提供デバイスである第１デバイス１００は、通信部１１０、ディスプレイ部１２０及び制御部１３０を含んでもよい。
【００３２】
通信部１１０は、複数の第２デバイス２００、またはサーバ３００のうち少なくとも一つと有線及び／又は無線通信を行うことができる。通信部１１０は、ブルートゥース（Bluetooth）通信部、ＢＬＥ（Bluetooth  low  energy）通信部、近距離無線通信部（near  field  communication  unit）、ＷＬＡＮ（wireless  local  area  network）（Ｗｉ−Ｆｉ（wireless  fidelity））通信部、ジグビー（ZigBee）、赤外線（ＩｒＤＡ（infrared  data  association）通信部、ＷＦＤ（Ｗｉ−Ｆｉ  direct）通信部、ＵＷＢ（ultra  wideband）通信部、Ａｎｔ＋通信部などでもあるが、それらに限定されるものではない。
【００３３】
通信部１１０は、通信網４００上で、基地局、第２デバイス２００またはサーバ３００のうち少なくとも一つと無線信号を送受信することができる。該無線信号は、視覚的記号を含む多様な形態のデータを含んでもよい。すなわち、通信部１１０は、視覚的記号を第２デバイス２００に送信することができ、第２デバイス２００から送信される視覚的記号を受信することができる。
【００３４】
ディスプレイ部１２０は、第１デバイス１００で処理される情報をディスプレイすることができる。ディスプレイ部１２０は、第１デバイス１００と第２デバイス２００との間で送受信される視覚的記号をディスプレイすることができる。例えば、ディスプレイ部１２０は、第１デバイス１００のユーザと、複数の第２デバイス２００のユーザとの対話内容が作成されるチャットルームをディスプレイすることができ、当該チャットルームには、送受信された視覚的記号がディスプレイされる。
【００３５】
該チャットルームは、ディスプレイ部１２０上にディスプレイされるＵＩ（user  interface）の一種であり、ディスプレイ部１２０は、第１デバイス１００と第２デバイス２００との間で送受信される視覚的記号が、当該ＵＩの範囲内において、一定方式によってディスプレイすることができる。ディスプレイ部１２０は、同時に２以上のチャットルームをディスプレイすることができる。
【００３６】
ディスプレイ部１２０は、液晶ディスプレイ、薄膜トランジスタ液晶ディスプレイ、有機発光ダイオード、フレキシブルディスプレイ、三次元（３Ｄ）ディスプレイ、電気泳動ディスプレイのうち少なくとも一つを含んでもよいが、本発明の範囲は、それらに限定されるものではない。第１デバイス１００の具現形態によって、第１デバイス１００は、ディスプレイ部１２０を２個以上含んでもよい。
【００３７】
制御部１３０は、一般的に、第１デバイス１００の全般的な動作を制御することができる。例えば、制御部１３０は、第１デバイス１００に含まれるメモリに保存されたプログラムを実行することにより、通信部１１０及びディスプレイ部１２０などを全般的に制御することができる。制御部１３０は、図１及び図８での第１デバイス１００の動作を遂行するために、通信部１１０及びディスプレイ部１２０などを全般的に制御することができる。
【００３８】
具体的には、制御部１３０は、第１デバイス１００と第２デバイス２００との間で送受信される視覚的記号がディスプレイされる第１チャットルームを生成することができる。第１チャットルームを生成する動作は、第１デバイス１００と第２デバイス２００との間で送受信される視覚的記号を保存するための空間を、第１デバイス１００のメモリに割り当てる動作でもある。制御部１３０は、生成された第１チャットルームをディスプレイ部１２０にディスプレイすることもでき、ディスプレイしないこともある。制御部１３０は、視覚的記号が作成された順序によるか、あるいは当該視覚的記号が送受信された時間によって、順次、視覚的記号を第１チャットルームにディスプレイすることができる。その場合、制御部１３０は、視覚的記号が第１チャットルームに順次に第１方向に羅列されるように、視覚的記号をディスプレイすることができる。例えば、第１方向が上から下に向かう方向である場合、制御部１３０は、視覚的記号のうち、相対的に先に送受信された視覚的記号を、第１チャットルームの第１位置にディスプレイすることができ、相対的に後に送受信された視覚的記号を、第２チャットルームの第１位置より下方に位置する第２位置にディスプレイすることができる。
【００３９】
また、制御部１３０は、第１チャットルームを介して送受信される視覚的記号のうち少なくとも一部がディスプレイされる第２チャットルームを生成することができる。
【００４０】
また、制御部１３０は、第１チャットルームの対話内容中、一部の対話内容を選択する選択命令を検出することができ、制御部１３０は、当該選択命令に選択された対話内容が、第２チャットルームにディスプレイされた状態で、第２チャットルームを生成することができる。その場合、制御部１３０は、当該選択命令に選択された対話内容を送信した一部の第２デバイス２００のみを、第２チャットルームの参加者に設定することができる。
【００４１】
制御部１３０は、第２チャットルームを生成するとき、第２チャットルームを第１チャットルームに属したチャットルームとして設定することができる。すなわち、第１チャットルームが終了する場合、制御部１３０は、第２チャットルームも共に終了させることができる。また、第２チャットルームが終了する場合、制御部１３０は、第２チャットルームにディスプレイされた視覚的記号を、第１チャットルームにディスプレイされた視覚的記号と併合し、第１チャットルームにディスプレイすることができる。
【００４２】
また、制御部１３０は、ディスプレイ部１２０に、第１チャットルームのみをディスプレイすることもでき、第２チャットルームのみをディスプレイすることもでき、第１チャットルーム及び第２チャットルームを同時にディスプレイすることもできる。
【００４３】
図３は、本発明の一実施形態による対話サービス提供方法を概略的に図示したフローチャートである。
【００４４】
図３に図示されたフローチャートは、図２に図示された対話サービス提供デバイスである第１デバイス１００において、時系列的に処理される段階によって構成される。従って、以下で省略された内容であるとしても、図２で図示された構成について、以上で記述された内容は、図３に図示されたフローチャートにも適用されるということが分かる。
【００４５】
図３を参照すれば、本発明の一実施形態による対話サービス提供方法は、複数のデバイス間で送受信される複数の視覚的記号がディスプレイされる第１チャットルームを生成する段階（Ｓ１００段階）、第１チャットルームにおいて、一部視覚的記号及び／または参加した一部デバイスを選択する段階（Ｓ２００段階）、選択された視覚的記号及び／またはデバイスに基づいて、第２チャットルームを生成する段階（Ｓ３００段階）を含んでもよい。Ｓ３００段階後、第１チャットルームで作成された視覚的記号と、第２チャットルームで作成された視覚的記号とを１画面に同時にディスプレイする段階をさらに含んでもよい。同時にディスプレイする段階は、第１チャットルームで作成された視覚的記号と、第２チャットルームで作成された視覚的記号とが区別されるようにディスプレイすることができる。Ｓ３００段階後、第１チャットルームで作成された視覚的記号と、第２チャットルームで作成された視覚的記号とを併合し、１つのチャットルームにディスプレイする段階をさらに含んでもよい。
【００４６】
図４は、第１チャットルームをディスプレイしている最中、第２チャットルームをディスプレイする方法の例示を示した図面である。
【００４７】
図４（ａ）を参照すれば、本発明の一実施形態による対話サービス提供方法は、多者間の対話内容を示す視覚的記号を、当該視覚的記号が入力された時間、または送受信された時間により、順次、第１チャットルームにディスプレイすることができる。その場合、第１デバイス１００のディスプレイ部には、第１デバイス１００と第２デバイス２００との間で送受信される視覚的記号が順次ディスプレイされる第１チャットルームがディスプレイされる。また、第１デバイス１００を介して直接作成された視覚的記号は、第１デバイス１００のディスプレイ部の片側に整列されてディスプレイされ、第２デバイス２００を通じて受信された視覚的記号は、それぞれの対話内容を送信した第２デバイス２００を区分し、前記片側の反対側に整列されてディスプレイされる。その場合、それぞれの第２デバイス２００は、互いに異なる文字、絵または写真などを示すＵＩ（user  interface）を介して互いに区分されてもよい。
【００４８】
このとき、第１デバイス１００のディスプレイ部に、第１チャットルームがディスプレイされている状態で、第２チャットルームの一部分、または第２チャットルームを呼び出すためのＵＩが、第１デバイス１００のディスプレイ部にディスプレイされる。例えば、図４（ａ）に図示されているように、第１チャットルームが、第１デバイス１００のディスプレイ部上にディスプレイされる。その場合、第１デバイス１００のディスプレイ部の一側面に、第２チャットルームを示すＵＩ  １４０がディスプレイされてもいる。このとき、第１デバイス１００は、第２チャットルームを第１デバイス１００のディスプレイ部にディスプレイするユーザ入力を受信することができる。例えば、図４（ｂ）に図示されているように、第１デバイス１００は、ユーザが、第２チャットルームを示すＵＩ  １４０をタッチしてドラッグする動作を検出することができる。その場合、第１デバイス１００は、第２チャットルーム１４２を、第１デバイス１００のディスプレイ部にディスプレイすることができる。それを介して、ユーザは、第１チャットルームを介して対話を進めていた最中、簡便に、第２チャットルームを介して対話を進めることができる状況にディスプレイ部を転換することができる。
【００４９】
図４においては、第２チャットルームが第１チャットルームに属した形態に図示されているが、それは、本発明の１つの例示を示したものに過ぎず、第２チャットルームは、第１チャットルームと並列的であって独立したチャットルームでもある。
【００５０】
図４は、第１チャットルームがディスプレイされる状況から、第２チャットルームがディスプレイされる状況に転換する方法の例示を示したものに過ぎず、それ以外にも、多様な方法で第１デバイス１００上にディスプレイされるチャットルームの種類を転換することができる。
【００５１】
図５Ａないし図５Ｃは、第２チャットルームを生成する方法の例示を示した図面である。
【００５２】
図５Ａには、第２チャットルームに参加するユーザを選択し、第２チャットルームを生成する方法の例示が図示されている。
【００５３】
図５Ａ（ａ）を参照すれば、第１デバイス１００は、第１チャットルームが、第１デバイス１００のディスプレイ部にディスプレイされている状態で、第１チャットルームと係わるオプションを呼び出すためのＵＩ  １４４を、第１デバイス１００のディスプレイ部にディスプレイすることができる。また、第１デバイス１００は、第１チャットルームと係わるオプションを呼び出すためのＵＩ  １４４を選択するユーザ入力を受信することができる。例えば、第１デバイス１００は、ユーザが、第１チャットルームと係わるオプションを呼び出すためのＵＩ  １４４をタッチする動作を検出することができる。
【００５４】
図５Ａ（ｂ）を参照すれば、第１チャットルームと係わるオプションを呼び出すユーザ入力が受信されることにより、第１デバイス１００は、第１チャットルームのオプションタブ１４６をディスプレイ部にディスプレイすることができる。第１チャットルームのオプションタブ１４６には、第２チャットルームを生成するためのＵＩ（１４８）が含まれることができる。また、第１デバイス１００は、第２チャットルームを生成するためのＵＩ（１４８）を選択するユーザ入力を受信することができる。例えば、第１デバイス１００は、ユーザが第２チャットルームを生成するためのＵＩ  １４８をタッチする動作を検出することができる。
【００５５】
図５Ａ（ｃ）を参照すれば、第２チャットルームを生成するユーザ入力が受信されることにより、第１デバイス１００は、第２チャットルームの生成のためのＵＩをディスプレイ部にディスプレイすることができる。第１デバイス１００は、第２チャットルームにメンバーを招待するためのＵＩ  １５０をディスプレイ部にディスプレイすることができる。このとき、第１デバイス１００は、メンバーを招待するためのＵＩ  １５０に、第１チャットルームに参加したメンバーのリストをディスプレイすることができる。また、第１デバイス１００は、当該リストに含まれたメンバーのうち少なくとも一部のメンバーを選択するユーザ入力を受信することができる。例えば、第１デバイス１００は、メンバーを招待するためのＵＩ  １５０に、第１チャットルームに参加したメンバーのリストをディスプレイすることができる。また、第１デバイス１００は、当該リストから一部のメンバーを選択することができる形態で、メンバーを招待するためのＵＩ  １５０をディスプレイすることができる。また、第１デバイス１００は、メンバーを招待するためのＵＩ  １５０を、ユーザがタッチする動作を検出することができる。それを介して、第１デバイス１００と、第１チャットルームを介して視覚的記号を送受信している第２デバイス２００のうち少なくとも一部との間で送受信される視覚的記号がディスプレイされる第２チャットルームを、第１デバイス１００が生成することができる。
【００５６】
図５Ｂには、第２チャットルームに参加するユーザを選択し、第２チャットルームを生成する方法の他の例示が図示されている。
【００５７】
図５Ｂ（ａ）を参照すれば、第１デバイス１００は、第１チャットルームが、第１デバイス１００のディスプレイ部にディスプレイされている状態で、第２チャットルームに招待する少なくとも一部の第２デバイス２００を選択するユーザ入力を受信することができる。例えば、第１デバイス１００は、ユーザが、第２デバイス２００それぞれを示すＵＩのうち少なくとも一部１５２をタッチする動作を検出することができる。
【００５８】
図５Ｂ（ｂ）を参照すれば、第２デバイス２００それぞれを示すＵＩのうち少なくとも一部１５２を選択するユーザ入力が受信されることにより、第１デバイス１００と、選択された第２デバイス２００との間で送受信される視覚的記号がディスプレイされる第２チャットルーム１５４を第１デバイス１００が生成することができる。その場合、第１デバイス１００は、ユーザ入力によって選択された第２デバイス２００が送信した視覚的記号１５６を、生成された第２チャットルームにディスプレイすることができる。その場合、第１デバイス１００は、ユーザ入力によって選択された第２デバイス２００が送信した視覚的記号１５６を、第２チャットルームにディスプレイすることができる。
【００５９】
図５Ｂ（ａ）においては、第２デバイス２００それぞれを示すＵＩのうちただ１つのみを選択する例示が図示されているが、本発明は、それに限定されるものではない。すなわち、第２デバイス２００それぞれを示すＵＩのうち複数をマルチタッチする方法、順次にクリックまたはタッチする方法、選択するＵＩのうち最も前に位置するＵＩをクリックまたはタッチした後、最も後に位置するＵＩをクリックまたはタッチする方法などを介して、複数のＵＩを選択し、複数の第２デバイス２００を第２チャットルームに招待することもできる。
【００６０】
図５Ｃには、第１チャットルームでの視覚的記号を選択し、選択された視覚的記号がディスプレイされる第２チャットルームを生成する方法が図示されている。
【００６１】
図５Ｃ（ａ）を参照すれば、第１デバイス１００は、第１チャットルームが、第１デバイス１００のディスプレイ部にディスプレイされている状態で、少なくとも一部の第２デバイス２００から受信された視覚的記号１５８を選択するユーザ入力を受信することができる。例えば、第１デバイス１００は、ユーザが、少なくとも一部の第２デバイス２００から受信された視覚的記号１５８をタッチする動作を検出することができる。
【００６２】
図５Ｃ（ｂ）を参照すれば、少なくとも一部の第２デバイス２００から受信された視覚的記号１５８を選択するユーザ入力が受信されることにより、第１デバイス１００と、選択された視覚的記号１５８を送信した第２デバイス２００との間で送受信される視覚的記号がディスプレイされる第２チャットルーム１６０を、第１デバイス１００が生成することができる。その場合、第１デバイス１００は、ユーザ入力によって選択された視覚的記号１５８を、第２チャットルームにディスプレイすることができる。また、第１デバイス１００は、選択された視覚的記号１５８を作成した第２デバイス２００を、第２チャットルームに招待することができる。また、選択された視覚的記号１５８を作成した第２デバイス２００が、自動的に第２チャットルームに招待されもする。
【００６３】
図５Ｃ（ａ）では、第１チャットルームの視覚的記号のうちただ１つのみを選択する例示が図示されているが、本発明は、それに限定されるものではない。すなわち、複数の視覚的記号をマルチタッチする方法、順次にクリックまたはタッチする方法、選択する視覚的記号のうち最も前に位置する視覚的記号をクリックまたはタッチした後、最も後に位置する視覚的記号をクリックまたはタッチする方法などを介して、複数の視覚的記号を選択し、当該視覚的記号を送信した複数の第２デバイス２００を、第２チャットルームに招待することもできる。
【００６４】
図５Ａないし図５Ｃに図示された例示的方法を含む本発明の第２チャットルーム生成方法を介して、ユーザは、第１チャットルームを介して対話を行っていた最中、第１チャットルーム構成メンバーの一部と対話を行うか、あるいは第１チャットルームで進められた対話の主題と異なる主題の対話を行うことができる第２チャットルームを生成することができる。
【００６５】
図６Ａ及び図６Ｂは、第１チャットルーム及び第２チャットルームを同時にディスプレイする方法の例示を示した図面である。
【００６６】
図６Ａ及び図６Ｂを参照すれば、第１デバイス１００は、第１チャットルームで作成された視覚的記号と、第２チャットルームで作成された視覚的記号とを１画面にディスプレイすることができる。その場合、第１デバイス１００は、第１チャットルームで作成された視覚的記号と、第２チャットルームで作成された視覚的記号とが互いに区別されるようにディスプレイすることができる。例えば、図６Ａに図示されているように、第１デバイス１００は、第２チャットルームで作成された視覚的記号が位置する領域１６２の背景色を、第１チャットルームで作成された視覚的記号が位置する領域の背景色と異なるようにディスプレイすることができる。他の例示として、図６Ｂに図示されているように、第１デバイス１００は、第１デバイス１００のディスプレイ部の一側面には、第１チャットルーム１６４をディスプレイし、前記一側面の反対側面には、第２チャットルーム１６６をディスプレイすることができる。それを介して、ユーザは、第１チャットルーム及び第２チャットルームで行われる対話を１画面で同時に確認することができる。
【００６７】
図７は、１つのチャットルームの対話内容を、他のチャットルームの対話内容と併合する方法の例示を示した図面である。
【００６８】
図７（ａ）を参照すれば、第１デバイス１００は、１つのチャットルームの対話内容を、他のチャットルームの対話内容と併合するためのＵＩ  １６８を、第１デバイス１００のディスプレイ部にディスプレイすることができる。また、第１デバイス１００は、併合するためのＵＩ  １６８を選択するユーザ入力を受信することができる。例えば、図７（ａ）に図示されているように、第１デバイス１００は、併合するためのＵＩ  １６８をタッチする動作を検出することができる。
【００６９】
図７（ｂ）を参照すれば、１つのチャットルームの対話内容を、他のチャットルームの対話内容と併合するユーザ入力が受信されることにより、第１デバイス１００は、どのチャットルームの対話内容と併合するかということを選択するためのＵＩ  １７０を、第１デバイス１００のディスプレイ部にディスプレイすることができる。また、第１デバイス１００は、選択するためのＵＩ  １７０を選択するユーザ入力を受信することができる。例えば、図７（ｂ）に図示されているように、第１デバイス１００は、選択するためのＵＩ  １７０をタッチする動作を検出することができる。
【００７０】
図７（ｃ）を参照すれば、併合するチャットルームを選択するユーザ入力が受信されることにより、第１デバイス１００は、２つのチャットルームの対話内容を併合し、１つのチャットルームにディスプレイすることができる。その場合、第１デバイス１００は、２つのチャットルームでそれぞれ作成された視覚的記号を、互いに区別されるようにディスプレイすることができる。例えば、図７（ｃ）に図示されているように、第１デバイス１００は、１つのチャットルームから併合された視覚的記号が位置する領域の背景色１７２を、他のチャットルームで直接作成された視覚的記号が位置する領域の背景色１７４と異なるようにディスプレイすることができる。第１デバイス１００は、併合された対話内容を、併合された２つのチャットルームのうち少なくとも１つのチャットルームにディスプレイすることができる。第１デバイス１００は、併合された対話内容を表示する新たなチャットルームを生成することができる。第１デバイス１００は、併合された２つのチャットルームのうち１以上を、それ以上第１デバイス１００のディスプレイ部にディスプレイしない。
【００７１】
それを介して、ユーザは、２つのチャットルームで行われた対話を、１つのチャットルームを介して確認することができる。
【００７２】
図７（ａ）では、１つのチャットルームの対話内容を、他のチャットルームの対話内容と併合するためのＵＩ  １６８が、当該チャットルームが、第１デバイス１００上にディスプレイされた状態でディスプレイされる例示が図示されているが、本発明は、それに限定されるものではない。すなわち、併合するためのＵＩ  １６８は、複数のチャットルームのうち２以上のチャットルームを選択することができる方法を提供することができる多様な形態のＵＩでもある。
【００７３】
図８は、対話サービス最中に発生した情報を、多数のデバイス間で送受信する過程を示した図面である。
【００７４】
図８を参照すれば、第１デバイス１００は、１つのチャットルームを介して、視覚的記号を送受信した少なくとも一部の第２デバイス２００ａの許可を受けた場合にのみ、当該チャットルームで作成された視覚的記号を、他のチャットルームの視覚的記号と併合することができる。以下、併合される視覚的記号が直接作成されたチャットルームのうち一つは、第３チャットルームとし、併合される視覚的記号が併合されてディスプレイされるチャットルームは、第４チャットルームとする。第３チャットルームを介して、視覚的記号を送受信した少なくとも一部の第２デバイス２００ａの許可を受けていない場合には、第１デバイス１００は、第３チャットルームで作成された視覚的記号を、第１チャットルームで作成された視覚的記号と併合しない。ここで、「許可」の意味は、第３チャットルームを介して、視覚的記号を送受信した少なくとも一部の第２デバイス２００ａ全部の同意でもある。第３チャットルームを介して視覚的記号を送受信した少なくとも一部の第２デバイス２００ａの許可を受けた場合であるとしても、第１デバイス１００は、第２チャットルームで作成された視覚的記号を、第１チャットルームの視覚的記号と併合しない。
【００７５】
第１デバイス１００は、第３チャットルームで作成された視覚的記号のうち、第３チャットルームを介して視覚的記号を送受信した少なくとも一部の第２デバイス２００ａの許可を受けた一部の視覚的記号のみを、第４チャットルームの視覚的記号と併合することができる。すなわち、第１デバイス１００は、第３チャットルームで作成された視覚的記号のうち、第３チャットルームを介して視覚的記号を送受信した少なくとも一部の第２デバイス２００ａの許可を受けた一部の視覚的記号を、第４チャットルームにディスプレイし、許可を受けていない残りの視覚的記号は、第４チャットルームがディスプレイしない。第３チャットルームを介して視覚的記号を送受信した少なくとも一部の第２デバイス２００ａの許可は、第３チャットルームを介して視覚的記号を送受信した少なくとも一部の第２デバイス２００ａ全部の同意でもある。
【００７６】
第１デバイス１００は、第３チャットルームを介して視覚的記号を送受信した少なくとも一部の第２デバイス２００ａの許可を受けた場合にのみ、第２デバイス２００のうち第３チャットルームで作成された視覚的記号を第３チャットルームを介して視覚的記号を送受信していない第２デバイス２００ｂに、第３チャットルームで作成された視覚的記号を送信することができる。それを介して、第３チャットルームで対話を交わした全メンバーの同意がある場合には、第４チャットルームで対話を交わすメンバーに、第３チャットルームでの対話内容を共有することができる。
【００７７】
第１デバイス１００または第２デバイス２００は、第１デバイス１００と第２デバイス２００との間の対話内容が記載された電子ファイルを生成することができる。第１デバイス１００または第２デバイス２００は、編集された状態の対話内容が記載された電子ファイルを生成することができる。第１デバイス１００または第２デバイス２００は、各デバイスは、電子ファイルを生成せよというユーザの入力を受信することができる。例えば、第１デバイス１００は、対話内容保存のためのＵＩを、第１デバイス１００上に表示することができる。第１デバイス１００は、当該ＵＩを選択する動作を検出することができる。当該ＵＩを選択する動作が検出されれば、第１デバイス１００は、対話内容が記載された電子ファイルを生成することができる。
【００７８】
以上で説明した本発明による実施形態は、コンピュータ上で多様な構成要素を介して実行されるコンピュータプログラムの形態に具現され、かようなコンピュータプログラムは、コンピュータで判読可能な媒体に記録される。このとき、該媒体は、ハードディスク、フロッピー（登録商標）ディスク及び磁気テープのような磁気媒体；ＣＤ−ＲＯＭ（compact  disc  read  only  memory）及びＤＶＤ（digital  versatile  disc）のような光記録媒体；フロプティカルディスク（floptical  disk）のような磁気・光媒体（magneto-optical  medium）；及びＲＯＭ（read-only  memory）、ＲＡＭ（random  access  memory）、フラッシュメモリのような、プログラム命令語を保存して実行するように特別に構成されたハードウェア装置を含んでもよい。さらに、該媒体は、ネットワーク上で伝送可能な形態に具現される無形の媒体を含んでもよく、例えば、ソフトウェア形態またはアプリケーション形態に具現され、ネットワークを介して伝送及び流通が可能な形態の媒体でもある。
【００７９】
一方、前記コンピュータプログラムは、本発明のために特別に設計されて構成されたものであってもよく、コンピュータソフトウェア分野の当業者に公知されて使用可能なものであってもよい。該コンピュータプログラムの例としては、コンパイラによって作られるような機械語コードだけではなく、インタープリタなどを使用して、コンピュータによって実行される高級言語コードも含まれる。
【００８０】
本発明で説明する特定実行は、一実施形態であり、いかなる方法によっても、本発明の範囲を限定するものではない。明細書の簡潔さのために、従来の電子的な構成、制御システム、ソフトウェア、前記システムの他の機能的な側面の記載は省略する。また、図面に図示された構成要素間の線の連結または連結部材は、機能的な連結、及び／または物理的または回路的な連結を例示的に示したものであり、実際の装置では、代替可能であったり追加されたりする多様な機能的な連結、物理的な連結または回路的な連結として示される。また、「必須な」、「重要に」のような具体的な言及がなければ、本発明の適用のために、必ずしも必要な構成要素ではないこともある。
【００８１】
従って、本発明の思想は、前述の実施形態に限って決められるものではなく、特許請求の範囲だけではなく、該特許請求の範囲と均等であるか、あるいはそこから等価的に変更された全ての範囲は、本発明の思想の範疇に属するものとするのである。
【図１】
2018508066.tif 000003
【図２】
2018508066.tif 000004
【図３】
2018508066.tif 000005
【図４】
2018508066.tif 000006
【図５Ａ】
2018508066.tif 000007
【図５Ｂ】
2018508066.tif 000008
【図５Ｃ】
2018508066.tif 000009
【図６Ａ】
2018508066.tif 000010
【図６Ｂ】
2018508066.tif 000011
【図７】
2018508066.tif 000012
【図８】
2018508066.tif 000013
【国際調査報告】
2018508066.tif 000014
2018508066.tif 000015
2018508066.tif 000016
2018508066.tif 000017
2018508066.tif 000018
2018508066.tif 000019